(57)【要約】  （活性膜に基づく）ＡＴＰ依存性発電機／アキュムレータ  ＡＴＰ依存性発電機／アキュムレータ技術は、電気エネルギーを生成するために、（細胞膜のタンパク質により生じる）分子レベルの仕事に由来する電位差を利用する考えから生じている。（主要な膜とは異なる機能を実施するように、遺伝子が組み換えられた隠れた膜の支持に加えて）一連の膜から生じる周期分極／脱分極が用いられる。従って、アキュムレータ及び発電機の両方として機能することができる極めて用途の広いシステムが構成される。ＡＴＰ状で決められた量のエネルギーを蓄えるため、アキュムレータとして機能することができ、電位エネルギー（ＡＴＰ分子の結合エネルギー）を電気エネルギーに変換するため、発電機として機能することができる。従って、この新しい技術は、１００％の容量まで正常に再充電する時間のあらゆる記録を実質的に更新することができるアキュムレータを実現する。これは、指定されたタンクに蓄積する使い尽くしたＡＤＰ含有溶媒を、ＡＴＰを含有する新しい溶媒で置き換えることにより実施され、これにより非常に短い時間で再充電することができるアキュムレータが実現し、電気供給網からアキュムレータを完全に独立させる。発電機としては、毒性又は汚染物質を産生せず、発電機が使用するＡＴＰを多量に含む溶媒、及び産生するＡＤＰを多量に含む副産物さえ、どちらも完全に生分解性である。電気装置を小型化する必要がある（従ってアキュムレータも）か、又は別の方法で実現することができない特定の形状を、本アキュムレータが扱う必要があるという、このシステムのまさにその技術が示される。この技術はその実現、使用又は廃棄において、物的又は生態リスクをもたらさない。【選択図】図２
2020518972.tif 000002
【特許請求の範囲】
【請求項１】
（活性化膜に基づく）ＡＴＰ依存性発電機／アキュムレータに関する技術であって、最終的な状態が分極・脱分極の交代により電気エネルギーを生成するのであれば、（生物分子により活性化される膜である）「活性化膜」を実装する技術。
【請求項２】
（１）最終的な状態が電気エネルギーを生成するのであれば、電位開口型ナトリウムチャネルに基づくシステム；
（２）最終的な状態が電気エネルギーを生成するのであれば、電位開口型カリウムチャネルに基づくシステム；
（３）最終的な状態が電気エネルギーを生成するのであれば、ＡＴＰ−ＡＤＰトランスロカーゼに基づくシステム；
（４）最終的な状態が電気エネルギーを生成するのであれば、ナトリウム・カリウムポンプに基づくシステム；
（５）最終的な状態が電気エネルギーを生成するのであれば、カルシウムチャネルに基づくシステム；
（６）最終的な状態が電気エネルギーを生成するのであれば、ナトリウム・カルシウムポンプに基づくシステム；
（７）最終的な状態が電気エネルギーを生成するのであれば、ファニー電流に基づくシステム；
（８）最終的な状態が電気エネルギーを生成するのであれば、ＡＤＰ／ＡＴＰトランスロカーゼに基づくシステム；
のシステムの実現に必要とされる膜を活性化するのに利用される分子の使用であり；
最終的な状態が分極・脱分極の交代により電気エネルギーを生成するのであれば、これらは全体として、及び部分的に、つまり記載されたそのままのスキームに基づき、又は該スキームの修飾により分子の一部を省略もしくは再配列させて用いられる、請求項１に記載の技術。
【請求項３】
電気エネルギーを直接又は間接的に生成するためのＡＴＰ分子の使用である請求項１または２に記載の技術。
【請求項４】
電気エネルギーの直接又は間接生成に仕上げられるのであれば、収率を最も効果的にするため、設計が基づくタンパク質構造の修飾である、請求項１、２または３に記載の技術。
【発明の詳細な説明】
【技術分野】
【０００１】
アキュムレータは、決められた期間で適当な電気エネルギー源から完全に再充電することができるバッテリである。これらのアキュムレータは、家庭又は公共のエネルギー供給網、あるいは発電機に依存し、その多くは内燃モータを使用して電気を発生させる。
【背景技術】
【０００２】
異なる電気容量、化学組成、形状及びサイズを有する様々な種類のアキュムレータが存在する。アキュムレータの最も一般的な種類としては、
Ａ）鉛蓄電池：主な利点はコストが低いことである。より高価な他の化学アキュムレータと比べてエネルギー密度が低いという制限がある。
１）グラスマット吸収（ＡＧＭ）；
２）ゲルバッテリ；
Ｂ）リチウムイオンバッテリ（化学アキュムレータ）：非常に高い電荷密度を示し、記憶効果はない；
Ｃ）リチウムポリマーイオンバッテリ：リチウムイオンバッテリよりも電荷密度がわずかに劣るが、特定の形に容易に適応することができる；
Ｄ）ナトリウム硫黄電池；
Ｅ）ニッケル鉄電池；
Ｆ）ニッケル水素（ＮｉＭＨ）バッテリ；
Ｇ）ニッケルカドミウム（Ｎｉ−Ｃｄ）バッテリ：Ｌｉイオン及びＮｉＭＨバッテリがはるかに優れている。Ｎｉ−Ｃｄバッテリも記憶効果があり、カドミウムは毒性重金属である；
Ｈ）ナトリウム／金属塩化物電池；
Ｉ）ニッケル亜鉛電池；
Ｌ）溶融塩電池；
Ｍ）銀亜鉛バッテリ：エネルギー密度は最も高いが、製造コストが非常に高い；が挙げられる。
【発明の概要】
【発明が解決しようとする課題】
【０００３】
すでに述べたように、従来発電機は内燃エンジンに基づいているが、生培養細胞を用いて電流を生成する生物発電機に関して、実験段階の特許が出願されている。
【課題を解決するための手段】
【０００４】
ＡＴＰ依存性発電機／アキュムレータの技術は、細胞膜のタンパク質により発生する分子活性由来の電位差を利用する考えに基づいている（そのまま、又はその機能を最大限に利用するために遺伝子変更を行う）。
【０００５】
従って、ＡＴＰ依存性発電機／アキュムレータは、エネルギー電池と呼ばれる一連の基礎構造を構築することから開始する。エネルギー電池は二重リン脂質膜（２重層）又は同様に効率的な物質（エネルギー電池を局在化させ、前述の分子活性を実行させる）に含まれる。同様に効率的な物質は細胞膜に似ているが、あるいは簡素化されており、より簡易で同様に効率的である。
【０００６】
実際に、モデルにおいて全体として使用される二重リン脂質膜は、実際の細胞と比べて膜貫通タンパク質ははるかに少ないが、より大きな表面密度を有する。我々の膜モデルが含有する基本の機能タンパク質構造は、
１）電位開口型ナトリウムチャネル（すべてが同じではない；組成は１つ又は複数のアミノ酸で異なり、わずかに異なる膜電位に応答して開く）；
２）電位開口型カリウムチャネル；
３）ＡＴＰ−ＡＤＰトランスロカーゼ；
４）ナトリウム・カリウムポンプ、である。
【０００７】
しかしながら、目的の特性に基づき、選択されるチャネルはすでに挙げられたもの、つまりカルシウムチャネル以上に変動することができることを強調しなければならない（この場合、明らかに、システム全体はナトリウム・カルシウムポンプを含めて適応しなければならない）。
【０００８】
本装置のエネルギー電池は、（タンパク質陰イオンが含まれ得る）そのすべての表面上に膜を有する内部構造（「コア」図２のＥ）により構成され、すでに記載した活性分子のすべてを提供する（これらの膜は、例えばムレインで作られる内部又は外部の機械的支持構造を含むことができる；この選択は所望の結果に基づいて行われる）。
【０００９】
次に、我々が「コア」と呼ぶこの内部構造は（例えば製造を最も効果的にするか、又は安定性を増すため、その形態を変えることができる；我々は便宜上「コア」という用語を使用し続けるが、これは暗黙的であると見なされる）、膜から構成される１つの活性／機能表面のみを提供する容器に収容される。残りの表面はすべて、不活性物質（図２のＦ）により構成される。
【００１０】
この容器の１つの活性／機能表面は、（図１及び２のＤ、多数の分子を含有するコアの膜と対照的に）ただ１つの分子であるＡＴＰ−ＡＤＰトランスロカーゼを含有する。
【００１１】
つまり、この装置のコア及び容器は、エネルギー電池の基本構造である（図２の立方体、図１のＡ）。
【００１２】
コアは正常な生細胞が行うように分極、脱分極する。しかし、活性化する必要がある生細胞とは異なり、コアは周期的に分極するため、電気インパルスの生成は、ファニーチャネルの存在により定期的であり、リズミカルである（従って、アキュムレータ内の溶液は、環状アデノシン一リン酸［ｃＡＭＰ］を含有しなければならず、これらのチャネルの作用を効率化する）。
【００１３】
アキュムレータは（所望の特性により）変動する数のエネルギー電池を含有し、これらは直列に配置され、「階層」を構成する。アキュムレータは多くの「階層」を含有する。
【００１４】
階層は、（いくつかは「休止」、その他は「運転」となるように）電気的に互いに単離される「ブロック」に分割される。
【００１５】
発電機／アキュムレータに存在するブロックの数は、個別のエネルギー電池／ブロックの不応期、さらに容量又は電圧など、追加の所望の特性により必要とされるものに影響される。従って、システム全体の機能は、ＡＴＰを消費し、ＡＤＰを生成するナトリウム・カリウムポンプに依存する。これが、この発電機／アキュムレータが「ＡＴＰ依存性」言われる理由である。様々な区画の様々な膜界面に存在するＡＴＰ−ＡＤＰトランスロカーゼの活性により、発電機／アキュムレータが機能する間に生成されるＡＤＰは、特定の区画（廃液／供給タンク、図１のＣ）に集められる。
【００１６】
その後、極めて容易、安全に、ＡＤＰを多量に含む使い尽くされた溶媒が除去され、ＡＴＰを多量に含む溶媒で置き換えられる。
【００１７】
この装置が（ＡＴＰ状エネルギーの）アキュムレータと見なされる場合、最大の利点はＡＴＰ溶媒を利用し、電気供給網を利用しないことである。
【００１８】
上記のエネルギー電池（コア＋容器）は他の容器内部に配置される。同様に、これらの容器は、再度単一の分子であるＡＴＰ−ＡＤＰトランスロカーゼを提供する１つの活性表面又は膜を有する。
【００１９】
この第２のＡＴＰ−ＡＤＰトランスロカーゼ含有膜の目的は、第２のＡＴＰを多量に含む微小環境を提供すること（第１はコアを含有し、最初のエネルギー電池を含む活性膜により提供される）、ＡＤＰを多量に含む使い尽くされた溶媒を排他的に含有する廃液タンクに向け、ＡＤＰを運ぶ第２のシステムを構成することである。
【００２０】
アキュムレータ内のＡＴＰ及びＡＤＰのどちらについても正確な移動フローを作るこの膜の機能として、ＡＴＰをエネルギー電池へ、ＡＤＰをエネルギー電池から運ぶように、分子を移動させる際にかなりの精密さを備えることが必要である。
【００２１】
次に、この膜は様々なエネルギー電池を含む区画を中間チャンバ（図１のＢ）と呼ばれる隠れた区画と連通させる。
【００２２】
中間チャンバも、ＡＤＰ及びＡＴＰを交換する（廃液／補充区画である）連続する区画に露出した他の１つの活性表面を提供する。
【００２３】
この場合も、この層の機能は、中間チャンバにＡＴＰを運び、廃液区画にＡＤＰを移動させることであり、この廃液区画では、完全に使い尽くして新しい溶媒が補充される前にＡＤＰが廃棄される（図１を参照のこと）。
【００２４】
膜（図１のＧ、１つの活性分子としてＡＴＰ−ＡＤＰトランスロカーゼを有する）、及びそのそれぞれの区画は、エネルギー電池の方向にＡＴＰが増加し、廃液／補充区画の方向にＡＤＰが増加する濃度勾配を形成する。その後、廃液／補充区画から高濃度のＡＤＰを有する使い尽くされた溶媒が除去され、（すべての他の必要なイオンに加えて、ファニーチャネルが正しく機能するのに必須である）ＡＴＰ及びｃＡＭＰを多量に含む溶媒で置き換えることができる。
【００２５】
これまで単一のリン脂質二重層として記載されてきた膜は、機能性を最も効果的にする特性、及び構造耐久性を提供する特性のどちらも得るため、（質及び型の意味で）同じ活性分子を含有する複数の積層されたリン脂質二重層からなることもできる。電気エネルギーの生成を停止することが所望される場合に（オン／オフ機能）、電池及びチャンバを再提供しないように、廃液／補充区画を機械的に単離することができる。
【００２６】
相当する発電機は電気発電機及びアキュムレータの両方の概念を変える。
【発明の効果】
【００２７】
実際、（活性膜に基づく）ＡＴＰ依存性発電機／アキュムレータは、成分処理の問題を除いて、いずれの物的リスクも排除し、最大限に環境を持続させる。
【００２８】
さらなる利点は、同じ（活性膜に基づく）ＡＴＰ依存性発電機／アキュムレータがアキュムレータと見なされる場合、再充電時間が低減する。
【図面の簡単な説明】
【００２９】
【図１】エネルギー電池の図面である。
【図２】エネルギー電池の図面である。
【発明を実施するための形態】
【００３０】
製造プロセスは、経時的ではない４つの異なる大きな段階に分けることができる。第１段階はリン脂質二重層の製造からなる。
【００３１】
リン脂質は、細胞膜の主成分であり、リンを含有する脂質の一種である。この種類の有機化合物に属する分子は、（水に可溶性で非極性溶媒に不溶性である）親水性の極性「頭部」及び（水に不溶性で非極性溶媒に可溶性である）２つの疎水性の非極性脂肪酸「尾部」からなる構造を有し、これらの分子を両親媒性にする。これらの分子の両親媒性特性に加えて、すべての特定のリン脂質分子が固相から液相に変化する臨界温度、つまり「融点」を有するという事実を明白にすることが重要である。
【００３２】
我々が実現しているエネルギー電池モデルは、細胞膜に生理的に存在する流体を必要とせず、従って流動モザイクモデルを裏付ける分子は含まれない。しかし、この選択される分子の型は、所望の特性に基づいて変動することがある。
【００３３】
我々の発電機／アキュムレータにおいて、我々は同じ理由でコレステロールなどの分子も除外し、代わりにＬβ及びＬβ’相としてＬｕｔｔａｚｚｉにより特定された液晶相を支持するリン脂質分子を選択する。我々が望むゲル・結晶相は、炭化水素鎖が膜に垂直、又は膜側に傾斜した同じ方向に配向するものである。
【００３４】
これらの二重層を実現するため、我々は可能な限り飽和した炭素数が１６個以上の脂肪酸を有するリン脂質を広く用い、ゲル又は結晶状態に変形させる。
【００３５】
この目的を達成するため、以下の技術又は方法を
１）小胞融合；
２）ラングミュア・ブロジェット技術と小胞融合技術の組合せ；
（リン脂質表面当たり最大活性分子密度を保証するため、２つのうちの１つを選択、実施して）使用することができる。
【００３６】
基質は以下の、
１）石英ガラス
２）ホウケイ酸ガラス
３）マイカ
４）酸化シリカ
５）二酸化チタン薄膜
６）インジウムスズ酸化物
７）金
８）銀
９）白金
から選択することができる。
【００３７】
いずれの場合でも、目的は親水性で、滑らかで、きれいな表面を有する高質膜（つまり、あるとしてもごくわずかな欠陥、及び高い脂質流動性を有する）を得ることである。
【００３８】
第２の大きな段階は、第１の大きな段階に記載されたものと同じ工程後、記載された膜の残りを構成することである。ただし、これらの膜はＡＴＰ−ＡＤＰトランスロカーゼを含むことが必須である（様々なチャンバ間に界面膜を実現するのに必要とされる）。しかし、これらの膜の実現は、（ディップペンナノリソグラフィー［ＤＰＮ］の使用など）以前に記述されたものに加えて、他の方法を使用することで達成することもできる。
【００３９】
第Ｉ及びＩＩの大きな段階の膜は、ムレインなど支持物質を備えることにより安定化させることができる。この場合、これを可能とする隠れた分子の挿入を検討することが必要となる（例えば、ムレインを使用する場合、リポタイコ酸）。
【００４０】
第３の大きな段階は様々な活性分子の合成であり、そのいくつかは、
１）ファニーチャネル；
２）電位開口型ナトリウムチャネル（すべてが同じではなく、１つ又は複数のアミノ酸で異なり、わずかに異なる膜電位値で開く）；
３）電位開口型カリウムチャネル；
４）ＡＴＰ−ＡＤＰトランスロカーゼ；
ナトリウム・カリウムポンプ、を含む。
【００４１】
ナトリウム・カリウムポンプは、組み換えＤＮＡ（ｒＤＮＡ）技術を使用することにより合成される。ナトリウム・カリウムポンプは、初期費用は高くなるが、一旦生産が始まると、かなり相殺される。
【００４２】
使用される電位開口型ナトリウムチャネルの型は、発電機／アキュムレータの所望の特性により決定される。
【００４３】
第４の大きな段階はＡＴＰ溶媒を得ることであり、我々のシステムにエネルギーを生成させる。この目的を実現するため、バイオリアクターが用いられ、我々の溶液がこれを通過する（最初はグルコース溶液）。これらのバイオリアクターは、グルコース分子をＡＴＰ分子に変換する解糖系の酵素（組み換えＤＮＡ［ｒＤＮＡ］技術によっても得られる）を含有する。このプロセスは、酸化的リン酸化を使用することによりさらに効率化することができ、正味の収率で各グルコース分子に対して多くのＡＴＰ分子を産生する。
【産業上の利用可能性】
【００４４】
この発電機／アキュムレータの実装分野は広く異なるが、主に大きく低減した再充電時間を有する電気自動車の実現である（この場合、発電機及びアキュムレータの両方として、又は従来のバッテリと組み合わせた発電機のみとして機能する選択肢がある）。
【００４５】
また、他の技術が認めていない寸法又は形状を有するアキュムレータを必要とする装置に利用することが期待される。特に、この技術は寸法を顕著に低減する。
【図１】
2020518972.tif 000003
【図２】
2020518972.tif 000004
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
膜に囲まれた内部構造を含む（ＡＴＰ系）電気化学電池であって、前記内部構造が不活性物質、及び膜により構成される１つの機能表面を含む容器に収容され、前記１つの機能表面がＡＴＰ−ＡＤＰトランスロカーゼを含み、前記内部構造を囲む前記膜がＡＴＰ−ＡＤＰトランスロカーゼ、ファニーチャネル、並びに１つ又は複数の電位開口型ナトリウムチャネル、電位開口型カリウムチャネル及びナトリウム・カリウムポンプを含む、（ＡＴＰ系）電気化学電池。
【請求項２】
前記内部構造を収容する前記膜及び前記容器の前記１つの機能性膜が、単一のリン脂質２重層又は複数の積層されたリン脂質２重層からなる、請求項１に記載の（ＡＴＰ系）電気化学電池。
【請求項３】
前記内部構造を収容する前記膜及び前記容器の前記１つの機能性膜が、支持物質をさらに含む、請求項１に記載の（ＡＴＰ系）電気化学電池。
【請求項４】
前記支持物質がムレインである、請求項３に記載の（ＡＴＰ系）電気化学電池。
【請求項５】
請求項１〜４のいずれか一項に記載の複数の電気化学電池と、不活性物質、及び膜により構成される１つの機能表面を含む１つ又は複数の容器とを含む（ＡＴＰ系）電気化学アキュムレータであって、前記１つの機能表面がＡＴＰ−ＡＤＰトランスロカーゼ、及び廃液／補充区画を含む、（ＡＴＰ系）電気化学アキュムレータ。
【請求項６】
前記複数の電気化学電池から前記廃液／補充区画を機械的に単離する手段をさらに含む、請求項５に記載の電気化学アキュムレータ。
【請求項７】
請求項５に記載のアキュムレータの前記廃液／補充区画にＡＴＰを多量に含む溶媒を投入する工程と、請求項５又は６に記載のアキュムレータの前記廃液／補充区画からＡＤＰを多量に含む廃液を除去する工程と、を含む電気を生産する方法。
【請求項８】
請求項５又は６に記載の電気化学アキュムレータにおける、エネルギーを生産するためのＡＴＰの使用。
【国際調査報告】
2020518972.tif 000005
2020518972.tif 000006